(57)【要約】【課題】ヘアアイロンの耐久性を高め、がたつきを防止する。【解決手段】長尺の基礎部材１１０と、基礎部材１１０との間で毛髪を挟み、回転により基礎部材１１０と離接する挟持部材１２０と、挟持部材１２０との間で毛髪を挟み、回転により挟持部材１２０の外周と離接するクリップ部材１３０と、挟持部材１２０を離隔方向に付勢する挟持付勢部材１４０と、挟持付勢部材１４０により付勢された状態の挟持部材１２０と共にクリップ部材１３０を閉状態に付勢するクリップ付勢部材１５０と、クリップ部材１３０に取り付けられ、クリップ部材１３０を回転させる離隔部１６０と、基礎部材１１０に対し、挟持部材１２０が離隔しないように挟持部材１２０の回転を固定する固定状態と解除状態とを切り替える切替スイッチとを備えるヘアアイロン。【選択図】図２
2019180634.tif 000002
【特許請求の範囲】
【請求項１】
長尺の基礎部材と、
前記基礎部材との間で毛髪を挟み、前記基礎部材の延在方向と交差する回転軸周りの回転により前記基礎部材と離接する挟持部材と、
前記挟持部材との間で毛髪を挟み、前記回転軸周りの回転により前記挟持部材の外周と離接するクリップ部材と、
前記基礎部材に対し、前記挟持部材を離隔方向に回転するように付勢する挟持付勢部材と、
前記基礎部材に対し、前記挟持付勢部材により付勢された状態の前記挟持部材と共に前記クリップ部材を接近方向に回転するように付勢するクリップ付勢部材と、
前記クリップ部材に取り付けられ、前記挟持部材に対し前記クリップ部材を離隔方向に回転させる離隔部と、
前記基礎部材に対し、前記挟持部材が離隔しないように前記挟持部材の回転を固定する固定状態と解除状態とを切り替える切替スイッチと
を備えるヘアアイロン。
【請求項２】
前記切替スイッチにより、前記挟持部材が前記基礎部材に接近状態で固定されている際に、前記挟持部材に前記基礎部材から離隔する方向に過負荷が加えられた場合、前記切替スイッチを解除の位置に移動させるカム機構を備える
請求項１に記載のヘアアイロン。
【請求項３】
前記切替スイッチは、前記基礎部材に対し、前記挟持付勢部材に抗して前記挟持部材が離隔しないように前記挟持部材を付勢する切替付勢部材を備える
請求項１に記載のヘアアイロン。
【請求項４】
前記切替スイッチは、前記挟持部材が前記基礎部材に接近状態で固定されている際に、前記挟持部材に前記基礎部材から離隔する方向に過負荷が加えられた場合、前記切替付勢部材の変形を防止する保護部を備える
請求項３に記載のヘアアイロン。
【発明の詳細な説明】
【技術分野】
【０００１】
本発明は、毛髪にカールなどの癖付けを行い、また毛髪をストレートに癖付けすることもできるヘアアイロンに関する。
【背景技術】
【０００２】
従来、カール機能、およびストレート機能の両方の機能を備えたヘアアイロンが存在している。このようなヘアアイロンは、毛髪を巻き付けるための円柱状の部材が２分割されており、さらに円柱状の部材の外周面に開閉可能なクリップを備えている。このようなヘアアイロンは、クリップのみが開閉するか、二つ割りの円柱状の部材が開閉するかを切り替える切替スイッチを備えている。
【０００３】
例えば特許文献１に記載のヘアアイロンは、円柱部材やクリップを開閉するための回転軸よりも把持部側に切替スイッチを設け、切替スイッチを回転軸と同じ方向に移動させることによって、カール機能とストレート機能とを切り替えている。
【０００４】
また、特許文献２に記載のヘアアイロンは、クリップなどを開閉するための回転軸体が切替スイッチとしても機能しており、回転軸体を回転軸方向にスライドさせることで開閉する部材の種類を切り替えている。
【先行技術文献】
【特許文献】
【０００５】
【特許文献１】特開２００９−６６０２３号公報
【特許文献２】特開２０１５−７３８４１号公報
【発明の概要】
【発明が解決しようとする課題】
【０００６】
しかしながら、回転軸よりも把持部側に切替スイッチを設ける場合、把持部が長くなるなどヘアアイロンの小型化が困難になる。また、回転軸体と切替スイッチとを共通部材にした場合、構造的に複雑となり構成部材の強度が低下する。従って、開く方向の力が外部からクリップなどに加えられると、過負荷によって破損しやすくなる。
【０００７】
本発明は、前記従来の課題に鑑みなされたもので、過負荷に対し強固な構造で小型化も可能な切替スイッチを備えるヘアアイロンの提供を目的とする。
【課題を解決するための手段】
【０００８】
上記目的を達成するために、本発明の１つであるヘアアイロンは、長尺の基礎部材と、前記基礎部材との間で毛髪を挟み、前記基礎部材の延在方向と交差する回転軸周りの回転により前記基礎部材と離接する挟持部材と、前記挟持部材との間で毛髪を挟み、前記回転軸周りの回転により前記挟持部材の外周と離接するクリップ部材と、前記基礎部材に対し、前記挟持部材を離隔方向に回転するように付勢する挟持付勢部材と、前記基礎部材に対し、前記挟持付勢部材により付勢された状態の前記挟持部材と共に前記クリップ部材を接近方向に回転するように付勢するクリップ付勢部材と、前記クリップ部材に取り付けられ、前記挟持部材に対し前記クリップ部材を離隔方向に回転させる離隔部と、前記基礎部材に対し、前記挟持部材が離隔しないように前記挟持部材の回転を固定する固定状態と解除状態とを切り替える切替スイッチとを備える。
【０００９】
これによれば、挟持部材とクリップ部材は同一回転軸周りを回転するためヘアアイロンの小型化が可能となる。また、切替スイッチは、挟持部材の回転を固定するためだけの部材であるため、設計的自由度が高く、構造的に強固な切替スイッチにすることが可能となる。
【００１０】
また、前記切替スイッチにより、前記挟持部材が前記基礎部材に接近状態で固定されている際に、前記挟持部材に前記基礎部材から離隔する方向に過負荷が加えられた場合、前記切替スイッチを解除の位置に移動させるカム機構を備えてもよい。
【００１１】
切替スイッチは、設計的自由度が高いためカム機構を容易に設けることができ、過負荷が発生した場合、切替スイッチが移動することにより挟持部材を軸支する回転軸体を保護することが可能となる。
【００１２】
また、前記切替スイッチは、前記基礎部材に対し、前記挟持付勢部材に抗して前記挟持部材が離隔しないように前記挟持部材を付勢する切替付勢部材を備えてもよい。
【００１３】
これによれば、切替スイッチを作用させている間は、クリップ部材が開状態であっても切替付勢部材が挟持部材を基礎部材に押しつける方向に付勢しているため、基礎部材と挟持部材との間のがたつきを抑制することができる。
【００１４】
また、前記切替スイッチは、前記挟持部材が前記基礎部材に接近状態で固定されている際に、前記挟持部材に前記基礎部材から離隔する方向に過負荷が加えられた場合、前記切替付勢部材の変形を防止する保護部を備えてもよい。
【００１５】
これによれば、挟持部材に過負荷が加えられた場合でも、切替付勢部材が過度に変形することがなく、切替付勢部材の機能を維持することができる。
【発明の効果】
【００１６】
本発明によれば、ストレートヘアとカールヘアの両方に対応したヘアアイロンであって、構造的に強固で、コンパクト化が可能なヘアアイロンを提供することができる。
【図面の簡単な説明】
【００１７】
【図１】閉状態のヘアアイロンの外観を基端側から示す斜視図である。
【図２】閉状態のヘアアイロンを簡略的に示す断面図である。
【図３】挟持部材、クリップ部材が開状態のヘアアイロンの外観を基端側から示す斜視図である。
【図４】挟持部材、クリップ部材が開状態ヘアアイロンを簡略的に示す断面図である。
【図５】クリップ部材が開状態のヘアアイロンの外観を基端側から示す斜視図である。
【図６】クリップ部材が開状態ヘアアイロンを簡略的に示す断面図である。
【図７】ヘアアイロンの別例を簡略的に示す断面図である。
【発明を実施するための形態】
【００１８】
次に、本発明に係るヘアアイロンの実施の形態について、図面を参照しつつ説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１９】
また、図面は、本発明を示すために適宜強調や省略、比率の調整を行った模式的な図となっており、実際の形状や位置関係、比率とは異なる場合がある。
【００２０】
図１は、閉状態のヘアアイロンの外観を基端側から示す斜視図である。図２は、閉状態のヘアアイロンを簡略的に示す断面図である。これらの図に示すように、ヘアアイロン１００は、毛髪を挟んだ状態で加熱するストレート機能と毛髪を巻き付けた状態で加熱するカール機能の２つの機能を備える。ヘアアイロン１００は、基礎部材１１０と、挟持部材１２０と、クリップ部材１３０と、挟持付勢部材１４０と、クリップ付勢部材１５０と、離隔部１６０と、切替スイッチ１７０とを備えている。本実施の形態の場合、ヘアアイロン１００は、把持部材１８０と、ブラシとして機能する基礎ブラシ１８１、挟持ブラシ１８２、およびクリップブラシ１８３を備えている。
【００２１】
把持部材１８０に対し基礎部材１１０が取り付けられている側を先端側、基礎部材１１０に対し把持部材１８０が取り付けられている側を基端側と記載する。また、先端、および基端の位置関係は他の部材についても同じように記載する場合がある。
【００２２】
把持部材１８０は、ヘアアイロン１００を操作する際に、操作者が把持する部分である。把持部材１８０の先端部には、基礎部材１１０の基端部が固定されている。図２において、把持部材１８０と基礎部材１１０とが一体的に記載されているが、把持部材１８０と基礎部材１１０は別体である。また把持部材１８０と基礎部材１１０とは、直接接続されてもよく、連結部材１１２などを介して接続されてもよい。把持部材１８０の内部には挟持部材１２０の基端部、およびクリップ部材１３０の基端部を軸支するための回転軸体１８４を備えている。
【００２３】
把持部材１８０の形状は、特に限定されるものではないが、操作者が把持しやすい形状が好ましい。本実施の形態の場合、把持部材１８０の外観は円柱状であり、外周面には樽のような緩やかな膨らみが存在している。また、把持部材１８０の先端部には、放射方向に突出した鍔部１８６が設けられている。把持部材１８０を把持した際に親指と人差し指とを鍔部１８６に当接させることにより把持した手の位置が安定し、ヘアアイロン１００全体を強く保持することができる。
【００２４】
把持部材１８０の材質は、特に限定されるものではないが、加熱される基礎部材１１０、および挟持部材１２０を保持する部材であるため、ポリブチレンテレフタレートなどの熱不良導体が好ましい。
【００２５】
回転軸体１８４は、基礎部材１１０の延在方向（図中Ｘ軸方向）に対し回転軸が直交する方向に配置され、基礎部材１１０と挟持部材１２０との当接面（図中ＸＹ平面に平行な面）に平行で、当接面よりも挟持部材１２０側に配置されるように把持部材１８０の内部に固定されている。本実施の形態の場合、回転軸体１８４は、丸棒状の部材であり構造的に高い強度を有している。回転軸体１８４は、箱形状の連結部材１１２の一方の壁部から対向する他方の壁部に渡って刺し通された状態で固定されている。なお、連結部材１１２は、把持部材１８０と基礎部材１１０とを固定的に接続する部材である。
【００２６】
把持部材１８０の内部には、基礎部材１１０、および挟持部材１２０の少なくとも一方に備えられる発熱体（図示せず）を駆動し、また制御する電源回路など（図示せず）が備えられている。把持部材１８０の外周面には、発熱体を加熱するか否かを決定する電源スイッチ１８５が取り付けられている。本実施の形態の場合、電源スイッチ１８５は、把持部材１８０の延在方向（図中Ｘ軸方向）にスライド可能に取り付けられている。また、把持部材１８０の基端部には、電源コード（図示せず）に接続された回転コネクタ（図示せず）が取り付けられている。
【００２７】
基礎部材１１０は、外観が長尺の棒状の部材であり、把持部材１８０の延在方向と同じ方向（図中Ｘ軸方向）に延在している。基礎部材１１０の形状は、外周に毛髪を巻き付け、挟持部材１２０との間で毛髪を挟むことができる形状であれば特に限定されるものではない。本実施の形態の場合、基礎部材１１０は、軸を含む面で円柱を分割した際の一方の形状、つまり半円柱形状である。基礎部材１１０は、湾曲面が外側に向き平面が挟持部材１２０に向くように樹脂製の連結部材１１２を介して把持部材１８０に固定的に取り付けられている。
【００２８】
本実施の形態の場合、基礎部材１１０の内部は空洞になっており、基礎部材１１０を加熱するためのヒータ（図示せず）が収容されている。なお、ヒータの種類も特に限定されるものではなく、ニクロム線ヒータ、ＰＴＣ（Ｐｏｓｉｔｉｖｅ  Ｔｅｍｐｅｒａｔｕｒｅ  Ｃｏｅｆｆｉｃｉｅｎｔ）ヒータ等を例示することができる。
【００２９】
基礎部材１１０は、内部に備えるヒータの熱を挟んだ毛髪、または巻き付けた毛髪に加えることで毛髪をストレート状に、またはカール状に癖付ける部材である。基礎部材１１０の材質は、熱良導体であれば特に限定されるものではない。本実施の形態の場合はアルミニウムを主原料とした金属で基礎部材１１０が形成されている。
【００３０】
なお、基礎部材１１０の先端部は開口しているため、基礎キャップ１１１により閉塞されている。
【００３１】
挟持部材１２０は、基礎部材１１０との間で毛髪を挟み、基礎部材１１０と共に外周面に毛髪を巻き付ける部材である。挟持部材１２０は、基礎部材１１０の延在方向と交差する方向に延在し把持部材１８０に取り付けられた回転軸体１８４に取り付けられ、回転軸周りの回転により基礎部材１１０と離接するように回転揺動する。挟持部材１２０の形状は、特に限定されるものではない。本実施の形態の場合、挟持部材１２０は、軸を含む面で円柱を分割した際の一方の形状、つまり半円柱形状であり、基礎部材１１０とほぼ同一の形状である。挟持部材１２０は、湾曲面が外側に向き平面が基礎部材１１０に向くように挟持取付部材１２２を介して把持部材１８０に固定的に取り付けられた回転軸体１８４に回転揺動自在に取り付けられている。
【００３２】
本実施の形態の場合、挟持部材１２０の内部は空洞になっており、挟持部材１２０を加熱するためのヒータ（図示せず）が収容されている。挟持部材１２０の材質は、熱良導体であれば特に限定されるものではない。本実施の形態の場合は、基礎部材１１０と同様、アルミニウムを主原料とした金属で挟持部材１２０が形成されている。
【００３３】
なお、挟持部材１２０の先端部は開口しているため、挟持キャップ１２１により閉塞されている。
【００３４】
クリップ部材１３０は、基礎部材１１０、および挟持部材１２０の外周に毛髪を強く巻き付ける際に挟持部材１２０の外周との間で毛髪を挟み毛髪の長手方向の一部を保持する部材である。クリップ部材１３０は、基礎部材１１０の延在方向と交差する方向に配置された回転軸体１８４にクリップ取付部１３２を介して取り付けられ、回転軸周りの回転により挟持部材１２０の外周と離接するように回転揺動する。クリップ部材１３０の形状は、特に限定されるものではない。本実施の形態の場合、クリップ部材１３０は、挟持部材１２０の延在方向に延在する幅が狭く長尺の板状であり、挟持部材１２０の外周面に沿うように湾曲している。
【００３５】
挟持付勢部材１４０は、基礎部材１１０に対し、回転軸体１８４の軸を回転軸として挟持部材１２０を離隔方向に回転するように付勢する部材である。挟持付勢部材１４０の種類は、特に限定されるものではなく、板バネや蔓巻バネなどを例示することができる。本実施の形態の場合、挟持付勢部材１４０としてはトーションバネが採用されている。挟持付勢部材１４０のつるまき部分の内方に回転軸体１８４が刺し通された状態で挟持付勢部材１４０が配置されている。挟持付勢部材１４０のつるまき部分から延びる一方の腕は、挟持部材１２０に取り付けられる挟持取付部材１２２に当接し、他方の腕は、基礎部材１１０に取り付けられる連結部材１１２に当接している。これにより挟持付勢部材１４０は、連結部材１１２、および挟持取付部材１２２を介して、基礎部材１１０と挟持部材１２０とが離れる方向に付勢している。
【００３６】
クリップ付勢部材１５０は、基礎部材１１０に対し、挟持付勢部材１４０により付勢された状態の挟持部材１２０と共にクリップ部材１３０を接近方向に回転するように付勢する部材である。つまり、クリップ付勢部材１５０によりクリップ付勢部材１５０に発生するトルク（基礎部材１１０に近接する方向のトルク）は、挟持付勢部材１４０により挟持部材１２０に発生するトルク（基礎部材１１０から離隔する方向のトルク）よりも大きくなるように設定されている。これにより、外部からヘアアイロン１００に何ら力が加えられていない場合、基礎部材１１０に挟持部材１２０が当接し、挟持部材１２０の外周にクリップ部材１３０が当接した状態が維持される。
【００３７】
離隔部１６０は、クリップ部材１３０の基端部に取り付けられ、挟持部材１２０に対しクリップ部材１３０を離隔方向に回転させる力が付与される部材である。本実施の形態の場合、離隔部１６０は、把持部材１８０を把持した操作者の親指や人差し指などによりクリップ部材１３０が基礎部材１１０から離隔する様に操作されるレバー状の部材である。離隔部１６０は、クリップ部材１３０の基端部から回転軸体１８４を越えて突出する位置にまで延在している。基礎部材１１０に挟持部材１２０が当接し、挟持部材１２０にクリップ部材１３０が当接している状態において、離隔部は、把持部材１８０の基端部に向かうに従い把持部材１８０から徐々に遠ざかるように湾曲している。
【００３８】
離隔部１６０の材質は特に限定されるものではないが、操作者の指が触れる部分であるため、挟持部材１２０の熱が伝わりにくい熱不良導体を採用することが好ましい。例えば、把持部材１８０の材質と同様のポリブチレンテレフタレートなどを例示できる。
【００３９】
切替スイッチ１７０は、基礎部材１１０に対し、挟持部材１２０が離隔しないように挟持部材１２０の回転を挟持付勢部材１４０の付勢力に抗して固定する固定状態と、挟持付勢部材１４０の付勢力により挟持部材１２０が基礎部材１１０から離接可能な状態である解除状態とを切り替えることができる部材である。本実施の形態の場合、切替スイッチ１７０は、把持部材１８０の表面に露出し、操作者の指により操作される操作部１７１と、挟持部材１２０の回転を規制する規制部１７２とを備えている。切替スイッチ１７０は、基礎部材１１０の延在方向にスライド可能な状態で把持部材１８０に取り付けられている。切替スイッチ１７０の操作部１７１は、把持部材１８０の鍔部１８６の近傍に配置されている。また、切替スイッチ１７０の操作部１７１は、把持部材１８０に対し離隔部１６０の反対側に配置され、基礎部材１１０の延在方向において離隔部１６０の端部の近傍に配置されている。これにより把持部材１８０を持つ操作者が人差し指で離隔部１６０を操作している場合、親指で切替スイッチ１７０を容易に操作することができ、操作者が親指で離隔部１６０を操作している場合、人差し指で切替スイッチ１７０を容易に操作することができる。
【００４０】
切替スイッチ１７０の規制部１７２は、挟持部材１２０の回転を規制する。本実施の形態の場合、挟持部材１２０は、回転軸体１８４に軸支された挟持取付部材１２２に取り付けられており、規制部１７２は、挟持取付部材１２２と当接することにより挟持部材１２０の回転を規制している。挟持取付部材１２２は、回転軸体１８４よりも先端側に挟持部材１２０が取り付けられ、回転軸体１８４よりも基端側、かつ回転軸体１８４よりも基礎部材１１０側に突出する当接部１２３を備えている。一方、切替スイッチ１７０の規制部１７２は、回転軸体１８４の回転軸、および基礎部材１１０の延在方向に交差する方向（図中Ｚ軸方向）において把持部材１８０に固定されている。従って、挟持部材１２０が基礎部材１１０に当接している状態において、挟持取付部材１２２の当接部１２３と把持部材１８０との間に規制部１７２をはめ込むことにより、規制部１７２は挟持取付部材１２２を介して挟持部材１２０の離隔方向の回転を規制する。また、切替スイッチ１７０を基端側にスライドさせると、当接部１２３と規制部１７２との当接状態は解除され、当接部１２３、および当接部１２３に連結される挟持部材１２０は、回転軸体１８４周りを自由に回転可能となる。
【００４１】
挟持取付部材１２２の当接部１２３と当接する規制部１７２の面は、切替スイッチ１７０のスライド方向（図中Ｘ軸方向）に交差し、先端側から基端側に向けて徐々に規制部１７２の厚さが厚くなるテーパ面１７３となっている。この当接部１２３とテーパ面１７３との関係は、切替スイッチ１７０により、挟持部材１２０が基礎部材１１０に接近状態で固定されている際に、挟持部材１２０に基礎部材１１０から離隔する方向に回転するような過負荷が加えられた場合、切替スイッチ１７０を解除の位置に移動させるカム機構となっている。本実施の形態の場合、切替スイッチ１７０は、挟持付勢部材１４０の力では基端側に移動せず、挟持付勢部材１４０の力に加えて、挟持取付部材１２２、回転軸体１８４などに変形や破損が発生するような過度な力がヘアアイロン１００の外部から挟持部材１２０に加えられた場合に切替スイッチ１７０が基端側にスライド移動し、挟持部材１２０の規制状態を解除する。
【００４２】
基礎ブラシ１８１と、挟持ブラシ１８２と、クリップブラシ１８３は、基礎部材１１０、挟持部材１２０、クリップ部材１３０に放射方向に突出状態でそれぞれ取り付けられるブラシである。この基礎ブラシ１８１と、挟持ブラシ１８２と、クリップブラシ１８３は、基礎部材１１０、挟持部材１２０、およびクリップ部材１３０の外周面に、毛髪を巻き付けて、ブラシと毛髪との間である程度の摩擦力を発生させることにより、毛髪を整髪しながら毛髪をカールさせることができるようになっている。
【００４３】
ブラシは、熱不良導体かつ耐熱性を有する材料（例えば、ナイロン樹脂等）で形成されている。また、ブラシは、指で押した際や肌で触れた際に容易に変形しつつ、指や肌が基礎部材１１０、挟持部材１２０の外面に触れないようにするために、ある程度の太さと長さと強度を有している。また、指や肌が触れた際に痛みを感じにくいように先端がＲ状となっている。
【００４４】
次に、ヘアアイロン１００の動作について説明する。離隔部１６０に力が加えられていない状態においては、図１、図２に示すように、ヘアアイロン１００の挟持部材１２０、およびクリップ部材１３０は、閉じた状態となる。ヘアアイロン１００が閉じた状態は、クリップ付勢部材１５０の付勢力により実現されている。またこの閉じた状態は、切替スイッチ１７０により挟持部材１２０の回転が規制されているＯＮ状態、規制が解除されたＯＦＦ状態のいずれの状態でも実現される。
【００４５】
以上の状態のヘアアイロン１００は、基礎部材１１０、挟持部材１２０、およびクリップ部材１３０の外周に毛髪を巻き付けて加熱し、毛髪にカール状の癖を付けることができる。
【００４６】
切替スイッチ１７０をＯＦＦ状態にし、クリップ部材１３０を離隔する方向に離隔部１６０に力を加えた状態においては、図３、図４に示すように、ヘアアイロン１００の挟持部材１２０、およびクリップ部材１３０は、開いた状態となる。具体的には、クリップ付勢部材１５０の力に抗して離隔部１６０に操作者が力を加えると、クリップ部材１３０が離隔方向に回転する。切替スイッチ１７０による規制が解除されている挟持部材１２０は、挟持付勢部材１４０の力によって、クリップ部材１３０の回転に伴って回転し、挟持部材１２０、およびクリップ部材１３０が開いた状態が実現される。
【００４７】
以上の状態のヘアアイロン１００の基礎部材１１０、挟持部材１２０の間に毛髪を挿入し、離隔部１６０に加えた力を緩めることで、基礎部材１１０と挟持部材１２０とで毛髪を挟持して加熱することができる。この挟持状態を維持したままヘアアイロン１００を毛髪に対して滑らせることで毛髪をストレートにすることができる。
【００４８】
切替スイッチ１７０をＯＮ状態にし、クリップ部材１３０を離隔する方向に離隔部１６０に力を加えた状態においては、図５、図６に示すように、クリップ部材１３０のみが開いた状態となる。具体的には、クリップ付勢部材１５０の力に抗して離隔部１６０に操作者が力を加えると、クリップ部材１３０が離隔方向に回転する。一方、切替スイッチ１７０により回転が規制されている挟持部材１２０は、基礎部材１１０に当接した状態で維持され、クリップ部材１３０のみが開いた状態となる。
【００４９】
以上の状態のヘアアイロン１００の挟持部材１２０とクリップ部材１３０との間に毛髪を挿入し、離隔部１６０に加えた力を緩めることで、挟持部材１２０とクリップ部材１３０とで毛髪を挟持する。そしてこの状態で毛髪を基礎部材１１０、挟持部材１２０、およびクリップ部材１３０の外周に巻き付けることで、毛髪を強く巻き付けた状態で加熱することができる。以上により毛髪を強いカール状の癖を付けることができる。
【００５０】
上記実施の形態に係るヘアアイロン１００によれば、単純な構造の切替スイッチ１７０により挟持部材１２０の回転を規制し、また解除することができるため、ヘアアイロン１００の外部から挟持部材１２０に力が加えられ、ＯＮ状態の切替スイッチ１７０に過負荷が発生しても、切替スイッチ１７０が変形や破損することがない。また、挟持部材１２０を軸支する回転軸体１８４は、単純な棒状であり、高い剛性を備えているため、切替スイッチ１７０に過負荷が発生する状況でも変形や破損することがない。以上により耐久性の高いヘアアイロン１００を提供することができる。
【００５１】
また、ＯＮ状態の切替スイッチ１７０により挟持部材１２０は基礎部材１１０に押しつけられた状態で維持され、クリップ部材１３０によりクリップ部材１３０を介して押しつけられるため、挟持部材１２０が基礎部材１１０に対してがたつくことを抑制できる。
【００５２】
また、把持部材１８０を把持した操作者の単純かつ直感的な操作により切替スイッチ１７０をＯＮ状態とＯＦＦ状態に切り替えることができるため、操作者は手元を見ることなく、ヘアアイロン１００の動作状態を変化させることができる。
【００５３】
なお、本発明は、上記実施の形態に限定されるものではない。例えば、本明細書において記載した構成要素を任意に組み合わせて、また、構成要素のいくつかを除外して実現される別の実施の形態を本発明の実施の形態としてもよい。また、上記実施の形態に対して本発明の主旨、すなわち、請求の範囲に記載される文言が示す意味を逸脱しない範囲で当業者が思いつく各種変形を施して得られる変形例も本発明に含まれる。
【００５４】
例えば、図７に示すように、切替スイッチ１７０は、基礎部材１１０に対し、挟持付勢部材１４０に抗して挟持付勢部材１４０が離隔しないように挟持付勢部材１４０を付勢する切替付勢部材１７４を備えてもよい。これによれば、弾性を備えた切替付勢部材１７４により挟持部材１２０の回転を規制するため、切替スイッチ１７０がＯＮ状態の場合、切替付勢部材１７４によって挟持部材１２０を基礎部材１１０に押しつけることができ、がたつきの発生を抑制することができる。また、挟持部材１２０の回転を剛性の高い規制部１７２で規制するのではないため、挟持部材１２０を離隔せせる方向に外部から力が加えられた場合でも、切替スイッチ１７０に加えられる過負荷を切替付勢部材１７４により柔軟に受けることができる。
【００５５】
さらに、切替スイッチ１７０は、切替付勢部材１７４の過度の変形を防止する保護部１７５を備えてもよい。例えば、保護部１７５は、切替付勢部材１７４を挟むように配置された２枚のリブ状の部材であり、切替付勢部材１７４を回転により変形させている挟持取付部材１２２の当接部１２３を所定の位置で受け止める。また、保護部１７５には、テーパ面１７３を設けてもよく、これによってカム機構を実現してもよい。
【００５６】
また、把持部材１８０の外形は、円柱形状に類似する形状に限定されるものではなく、使用者が握ることができる形状であれば、いかなる形状であってもよい。
【００５７】
また、クリップ部１３０、離隔部１６０をクリップ部材１３０の一部として説明したが、クリップ部１３０、離隔部１６０、その他各部を別体とし、クリップ部材１３０に組み付けてもかまわない。
【産業上の利用可能性】
【００５８】
本発明にかかるヘアアイロンは、個人的使用や理容院、美容院において業務的に使用される。また人の毛髪ばかりでなく、犬や猫などのペット用のヘアアイロンの用途等にも利用される。
【符号の説明】
【００５９】
１００  ヘアアイロン
１１０  基礎部材
１１１  基礎キャップ
１１２  連結部材
１２０  挟持部材
１２１  挟持キャップ
１２２  挟持取付部材
１２３  当接部
１３０  クリップ部材
１３２  クリップ取付部
１４０  挟持付勢部材
１５０  クリップ付勢部材
１６０  離隔部
１７０  切替スイッチ
１７１  操作部
１７２  規制部
１７３  テーパ面
１７４  切替付勢部材
１７５  保護部
１８０  把持部材
１８１  基礎ブラシ
１８２  挟持ブラシ
１８３  クリップブラシ
１８４  回転軸体
１８５  電源スイッチ
１８６  鍔部
【図１】
2019180634.tif 000003
【図２】
2019180634.tif 000004
【図３】
2019180634.tif 000005
【図４】
2019180634.tif 000006
【図５】
2019180634.tif 000007
【図６】
2019180634.tif 000008
【図７】
2019180634.tif 000009